(57)【要約】【課題】  コンピュータシステムに用いられるビデオ編集システム及びその方法の提供。【解決手段】  マーキングユニットが少なくとも一つの再生マークと少なくとも一つのジャンプマークを提供して表示ユニットが放送するビデオデータの完全フレームに対するマーキングを行い、ビデオキャプチャユニットが検出ユニットの提供するＰフレーム差異条件値を読み取り、該再生マークが設定された完全フレーム、該完全フレームに関係するＰフレーム変化量がＰフレーム差異条件値より小さくないＰフレーム及び該完全フレームに関係するＢフレームをキャプチャした後、該ジャンプマークの設定により、早回し機能行使の回数を節約し、早回し機能により発生する遅延時間を効果的に短縮し、その後、変換ユニットによりキャプチャしたビデオデータをコード変換し、容量が小さい単一ファイルを発生する。【選択図】        図１
2005323333.tif 000002
【特許請求の範囲】
【請求項１】
コンピュータシステムに用いられるビデオ編集システムにおいて、
少なくとも一つのデコードビデオ信号を受け取り、該デコードビデオ信号の複数のフレームを再生する、表示ユニットと、
少なくとも一つの再生マークと少なくとも一つのジャンプマークを提供し、該再生マークで再生するフレームを設定し、該ジャンプマークで再生しないフレームを設定する、マーキングユニットと、
再生マークが設定されたフレームをキャプチャし、ジャンプマークが設定されたフレームのキャプチャを放棄する、ビデオキャプチャユニットと、
該ビデオキャプチャユニットがキャプチャした再生マークが設定された少なくとも一つのフレームを受け取って単一ファイルに変換する、変換ユニットと、
を具えたことを特徴とする、コンピュータシステムに用いられるビデオ編集システム。
【請求項２】
請求項１記載のコンピュータシステムに用いられるビデオ編集システムにおいて、デコードビデオ信号がＭＰＥＧ圧縮フォーマットであることを特徴とする、コンピュータシステムに用いられるビデオ編集システム。
【請求項３】
請求項１記載のコンピュータシステムに用いられるビデオ編集システムにおいて、マーキングユニットがマーキングインデックステーブルを具え、該マーキングインデックステーブルは再生マークが設定されたフレームの保存位置を記録することを特徴とする、コンピュータシステムに用いられるビデオ編集システム。
【請求項４】
請求項１記載のコンピュータシステムに用いられるビデオ編集システムにおいて、ビデオ編集システムはデコードユニットを更に具え、該デコードユニットは少なくとも一つのエンコードビデオ信号を受け取り、該エンコードビデオ信号をデコードビデオ信号にデコードすることを特徴とする、コンピュータシステムに用いられるビデオ編集システム。
【請求項５】
請求項４記載のコンピュータシステムに用いられるビデオ編集システムにおいて、エンコードビデオ信号がＭＰＥＧ圧縮フォーマットとされることを特徴とする、コンピュータシステムに用いられるビデオ編集システム。
【請求項６】
請求項１記載のコンピュータシステムに用いられるビデオ編集システムにおいて、ビデオ編集システムが入力ユニットを更に具え、該入力ユニットは少なくとも一つの再生マークと少なくとも一つのジャンプマークの設定に供されることを特徴とする、コンピュータシステムに用いられるビデオ編集システム。
【請求項７】
請求項１記載のコンピュータシステムに用いられるビデオ編集システムにおいて、ビデオ編集システムが検出ユニットを更に具え、該検出ユニットは再生マークが設定されたフレームに隣接するフレームの変化量を検出することを特徴とする、コンピュータシステムに用いられるビデオ編集システム。
【請求項８】
請求項７記載のコンピュータシステムに用いられるビデオ編集システムにおいて、ビデオキャプチャユニットが前記変化量に基づき再生マークが設定されたフレームに隣接するフレームの一つのフレームキャプチャを放棄することを特徴とする、コンピュータシステムに用いられるビデオ編集システム。
【請求項９】
請求項１記載のコンピュータシステムに用いられるビデオ編集システムにおいて、ビデオ編集ユニットが保存ユニットを更に具え、該保存ユニットがビデオキャプチャユニットのキャプチャしたフレームを保存することを特徴とする、コンピュータシステムに用いられるビデオ編集システム。
【請求項１０】
請求項１記載のコンピュータシステムに用いられるビデオ編集システムにおいて、ファイルが動画ファイルとされたことを特徴とする、コンピュータシステムに用いられるビデオ編集システム。
【請求項１１】
請求項１０記載のコンピュータシステムに用いられるビデオ編集システムにおいて、動画ファイルがＪＰＥＧ圧縮フォーマットとされることを特徴とする、コンピュータシステムに用いられるビデオ編集システム。
【請求項１２】
請求項１０記載のコンピュータシステムに用いられるビデオ編集システムにおいて、動画ファイルがＧＩＦ圧縮フォーマットとされることを特徴とする、コンピュータシステムに用いられるビデオ編集システム。
【請求項１３】
コンピュータシステムに用いられるビデオ編集方法において、この方法は、
デコードビデオ信号を受け取り、該デコードビデオ信号の複数のフレームを再生するステップと、
少なくとも一つの再生マークと少なくとも一つのジャンプマークを提供し、該再生マークで再生するフレームを設定し、該ジャンプマークで再生しないフレームを設定するステップと、
再生マークが設定されたフレームをキャプチャし、ジャンプマークが設定されたフレームのキャプチャを放棄するステップと、
再生マークが設定された少なくとも一つのフレームを受け取り、受信したフレームを単一ファイルに変換するステップと、
を具えたことを特徴とする、コンピュータシステムに用いられるビデオ編集方法。
【請求項１４】
請求項１３記載のコンピュータシステムに用いられるビデオ編集方法において、デコードビデオ信号がＭＰＥＧ圧縮フォーマットとされることを特徴とする、コンピュータシステムに用いられるビデオ編集方法。
【請求項１５】
請求項１３記載のコンピュータシステムに用いられるビデオ編集方法において、マーキングインデックステーブルを提供し、該マーキングインデックステーブルに再生マークを設定したフレームの保存位置を記録するステップを具えたことを特徴とする、コンピュータシステムに用いられるビデオ編集方法。
【請求項１６】
請求項１３記載のコンピュータシステムに用いられるビデオ編集方法において、デコードビデオ信号を受け取るステップの前に、少なくとも一つのエンコードビデオ信号を受け取り、該エンコードビデオ信号をデコードビデオ信号に変換するステップを具えたことを特徴とする、コンピュータシステムに用いられるビデオ編集方法。
【請求項１７】
請求項１６記載のコンピュータシステムに用いられるビデオ編集方法において、エンコードビデオ信号がＭＰＥＧ圧縮フォーマットとされることを特徴とする、コンピュータシステムに用いられるビデオ編集方法。
【請求項１８】
請求項１３記載のコンピュータシステムに用いられるビデオ編集方法において、入力ユニットを使用して再生マークとジャンプマークを設定することを特徴とする、コンピュータシステムに用いられるビデオ編集方法。
【請求項１９】
請求項１３記載のコンピュータシステムに用いられるビデオ編集方法において、再生マークが設定されたフレームをキャプチャする前に、再生マークが設定されたフレームに隣接するフレームの変化量を検出するステップを具えたことを特徴とする、コンピュータシステムに用いられるビデオ編集方法。
【請求項２０】
請求項１９記載のコンピュータシステムに用いられるビデオ編集方法において、再生マークが設定されたフレームをキャプチャするステップにあって、変化量に基づき、再生マークが設定されたフレームに隣接するフレームの一つのフレームのキャプチャを放棄することを特徴とする、コンピュータシステムに用いられるビデオ編集方法。
【請求項２１】
請求項１３記載のコンピュータシステムに用いられるビデオ編集方法において、再生マークが設定されたフレームをキャプチャするステップにあって、キャプチャしたフレームを保存するステップを更に具えたことを特徴とする、コンピュータシステムに用いられるビデオ編集方法。
【請求項２２】
請求項１３記載のコンピュータシステムに用いられるビデオ編集方法において、単一ファイルが動画ファイルとされることを特徴とする、コンピュータシステムに用いられるビデオ編集方法。
【請求項２３】
請求項２２記載のコンピュータシステムに用いられるビデオ編集方法において、動画ファイルがＪＰＥＧ圧縮フォーマットとされることを特徴とする、コンピュータシステムに用いられるビデオ編集方法。
【請求項２４】
請求項２２記載のコンピュータシステムに用いられるビデオ編集方法において、動画ファイルがＧＩＦ圧縮フォーマットとされることを特徴とする、コンピュータシステムに用いられるビデオ編集方法。
【発明の詳細な説明】
【技術分野】
【０００１】
本発明は一種のコンピュータシステムに用いられるビデオ編集システム及びその方法に係り、特に少なくとも一つの再生マークと少なくとも一つのジャンプマークを提供し、表示ユニットが放送するビデオデータの完全画面に対してマーキングを行い、ビデオキャプチャユニットによりＰフレーム差異条件値を読み取り、該再生マークが設定された完全フレーム、該完全フレームに関係しフレーム変化量がＰフレーム差異条件値より小さくないＰフレーム及び該完全フレームに関係するＢフレームをキャプチャした後、変換ユニットで容量が小さい単一ファイルに変換する、ビデオ編集システム及びその方法に関する。
【背景技術】
【０００２】
コンピュータの発展以来、早期に真空管で製造された第１代コンピュータから、第２代、第３代、そして現代のパーソナルコンピュータに至り、コンピュータはますます時空を超え、インターフェースの使用と価格の低下により、徐々に人々の生活に融合している。情報テクノロジーの進歩により、コンピュータの発展は更に家電に及び、人々はコンピュータを利用してテレビ番組を観たり、音楽を聴いたり、ＤＶＤ、ＶＣＤ等を再生するレジャー行為に利用するようになった。
【０００３】
２０００年のネットワークの勃興発展より、民衆がネットワークを通してショッピングを行うようになり、ｅ−Ｍａｒｋｅｔｅｒの研究と予測によると、２０００年から２００４年のＢ２Ｃ（Ｂｕｓｉｎｅｓｓ  ｔｏ  Ｃｕｓｔｏｍｅｒ）市場収入はヨーロッパ及びアジアの年間複合成長率がそれぞれ１１８％と８７％であり、更にモバイルビジネスの勃興は時間と空間の弾性を増し、このような発展は産業上の注目を集め、更に新たなビジネスチャンスの革命を起こす。
【０００４】
ネットワークにおけるブラウザでホームページを閲覧する方式を利用し、産業は新たな販売方向を探し出した。ブラウズ側でホームページをブラウジングし、ネットワーク情報をキャプチャした後、直接民衆にサービスが提供される。よく見られるものとしては、ネットワークショッピング、ネットワーク投票活動があり、これにより、更に多くの消費者にネットワークを通して消費させるために、企業は製品の特色に基づき、特色情報をビデオ方式でネットワーク上で公布し、消費者はオンラインで製品に対する購入意欲を刺激されて注文を行う。
【０００５】
現在、コンピュータシステムのビデオデータの多くはＭＰＥＧ（Ｍｏｔｉｏｎ  Ｐｉｃｔｕｒｅ  Ｅｘｐｅｒｔ  Ｇｒｏｕｐ）のエンコード方式をビデオ信号の圧縮フォーマットとしている。よく見られる圧縮方法には、離散コサイン変換（Ｄｉｓｃｒｅｔｅ  Ｃｏｓｉｎｅ  Ｔｒａｎｓｆｏｒｍ；ＤＣＴ）、量子化法（Ｑｕａｎｔｉｚａｔｉｏｎ）及びハフマンエンコード法（Ｈｕｆｆｍａｎ  Ｅｎｃｏｄｉｎｇ）等の技術がある。演算法にあっては、各フレームのデータサイズは同じでなければならず、ゆえに各フレームを圧縮する時は、演算法自身が圧縮程度を動態変化させるのでなければ、フレームとフレームの間に余分の圧縮動作が更に必要となる。このような動作はフレーム間圧縮（ｉｎｔｅｒ−ｆｒａｍｅ  ｃｏｍｐｒｅｓｓｉｏｎ）と称される。その基本概念は一連のフレーム中の同じと見える部分を削除し、その圧縮後の各完成フレームを我々が観る時に、フレームの間の改変のみに注意すればよくする、というものである。
【０００６】
ＭＰＥＧ画像グループは三種類の異なる圧縮フレームで構成され、それぞれＩフレーム、Ｐフレーム、Ｂフレームとされ、ＤＣＴ圧縮法を例に挙げると、一つのフレームをＤＣＴ変換した後、高周波部分（すなわち人の眼で見て分からない細部）を除去し、低周波部分のみを伝送する。そのうち、Ｉフレームについては、我々は通常それを内部エンコードフォーマットと称し、それは画像グループの第１枚とされ、且つ画像の完全フレームを包含し、これにより、単独でデコード表示可能である。Ｐフレームはプレ参照フォーマットとされ、それは前面のＩフレームとＰフレームを参考画像とし、フレーム中の重複部分を除去し、二つのフレーム間の違いのみ記録したものである。Ｂフレームは双方向修正フォーマットとされ、上述の各フレームに同様の動作を実行した時、時間に伴い発生しうるエラーが発生し、このエラーが累積されうるため、不定時に一枚のフレームを挿入することで全てのデータをリセットする必要があり、これにより一枚の特殊フレームを挿入することで前後のフォーマットの方式を対比して演算法の性能を向上するのである。
【０００７】
ＭＰＥＧ放送方式については、ＰフレームとＢフレーム応用の前のフレームデータより特定フレームを表示するために必要なデータ総量を減少するため、単独デコード表示は行えず、Ｉフレームは完全フレームは完全フレームであり、単独でデコード表示可能である。これにより、ビデオ放送の第１のフレームとされる。そのうち、ＩフレームとＩフレームの間には１２個のフレームがあり、それはＰフレームとＢフレームを加えて構成される。例えば、ＭＰＥＧエンコードデータをデコードしたフレームの構成順序は、ＩＢＢＰＢＢＰＢＢＰＢＢＩであるが、但し伝送時に先に第１のＩフレームを伝送してから、第１のＩフレームを参考画像とし、フレーム中の重複部分を除去し、わずかに二つのフレーム間の異なるＰフレームを記録し、その後、Ｂフレームを伝送し、第１のＩフレームとＰフレームを修正すると、時間の経過に伴いエラーが発生しうる。これから類推されるように、第１のＩフレームとそれに関係するＰフレームとＢフレームの伝送が完成した後でなければ、第２のＩフレームを先頭とする１２個のフレームを伝送して連続放送の画像を発生することができない。これによりそれらの間のデータサイズはＩフレームが最大で、Ｐフレームが次で、Ｂフレームが最小となる。
【０００８】
ＭＰＥＧ圧縮方式に関しては、通常一つのビデオファイルが複数の以下の三種類のファイルフォーマットを包含しなければ放送できない。それはそれぞれ．ＶＯＢファイル、．ＩＦＯファイル、．ＢＵＰファイルである。各ＶＯＢファイルはビデオ信号、音声信号及び字幕ストリームなど多種類のストリームの合併を包含する。各ＩＦＯファイルは放送器に一つのチャプターがどこで開始するか、ある音声信号ストリーム或いは字幕ストリームをどこに位置づけるかのような重要なガイド情報を提供する。各ＢＵＰファイルはＩＦＯファイルのバックアップファイルである。一般にＤＶＤはＭＰＥＧ２フォーマットをオーディオビデオ放送規格としており、これにより、毎秒約２９．９７フレーム、毎秒伝送約３〜１０ＭＢ、一分間で計算すると伝送量は約１８０〜６００Ｍである。これによりこの圧縮方式を使用して製品紹介ファイルを形成し、並びにそれをホームページに置いて消費者が商品情報を観るのに供すると、３つのファイルの提供が必要である以外に、ファイルサイズとネットワーク周波数幅の制限を受けるため、宣伝の目的を達成できない。
【０００９】
ネットワークを通しての宣伝販売の要求に対して、市場には多種類のビデオ変換のシステムが提供されているが、これらのシステムはいずれもビデオファイルの完全な内容を別のファイルに変換するものであり、企業のビデオファイルにより製品の特色を表現の要求を満足させられず、ファイル容量の差異が大きくない欠点のほか、オンライン上で製品紹介のビデオファイル放送を観るための待ち時間が長過ぎ、却って製品に対する印象を悪くし、更には購入意欲を低減させて注文を減らしてしまう。このため、ジャンプマークの特性を具え、企業が製品特色を突出表示できない部分のセグメントに対してジャンプマークを設定できるようにし、キャプチャ時にマークにより判断でき、ジャンプマークのフレームの選択を減らし、ポイント宣伝効果を発生するビデオファイルの提供が望まれる。
【００１０】
近年、生活水準が向上し、ファーストフードなど、スピードアップが求められる時代にあって、人々がＤＶＤ映画を余暇に観る時も、早送り機能により展開が遅い部分は飛ばしてキーポイント部分のみを観ようとすることが多い。周知の早送り機能は倍数方式で計算し、早送り機能を停止して正常再生する時、ユーザーはビデオシステムがＩフレームの位置を探し出すのを待たねばならず、このため再生フレーム遅延の現象が常々発生する。この遅延問題を解決するため、ある発明者はインデックステーブルの方式を提供し、それによると、Ｉフレームの保存位置を予め記録し、早送り機能停止時に、速やかにＩフレームの位置を探し出せるようにし、再生フレーム遅延の現象を減らしている。しかし多くの早送り機能がユーザーの必要により続々と提出され、ユーザーは依然として早送りに必要な時間を待たねばならず、時には早送りしすぎて早送りと早戻しを反復して行い観たい部分に調整しなければならない。このため、いかにジャンプ機能を提供し、ユーザーが早送り動作と待ち時間を節約できるようにするかが、ビデオシステムの発展のために思考すべき問題の一つとなっている。
【００１１】
これを鑑み、いかに上述の問題に対してコンピュータシステムに用いられるビデオ編集システム及びその方法を提供し、伝統的なビデオファイルにおける容量過大のため伝送が容易でなく多くのビデオファイルを送らねばならぬ欠点を解決し、また、ビデオセグメントジャンプを提供し、ユーザーの早送りの待ち時間を節約し企業の製品宣伝の実務応用価値を向上するかが、長くユーザーの切実な切望であり本発明者の解決しようとする問題である。
【発明の開示】
【発明が解決しようとする課題】
【００１２】
本発明の主要な目的は、コンピュータシステムに用いられるビデオ編集システム及びその方法を提供することにあり、それは、マーキングユニットを具え、該マーキングユニットが少なくとも一つの再生マークと少なくとも一つのジャンプマークを提供して表示ユニットが放送するビデオデータの完全フレームに対してマーキングを行い、ビデオキャプチャユニットを通して、再生マークに対応し該表示ユニットが放送する完全フレームと該完全フレームに関係するビデオデータをキャプチャし、変換ユニットでビデオキャプチャユニットがキャプチャしたビデオデータを読み取り、エンコード圧縮変換するものとする。
【００１３】
本発明の次の目的は、フレーム動態キャプチャの方法を提供することにあり、それは、ジャンプと再生マークの設定とＰフレーム差異条件値の調整により、該表示ユニットが放送するビデオフレームを動態キャプチャして、フレームキャプチャの変動性を高めるものとする。
【００１４】
本発明の別の目的は、画像再生と画像編集の機能を共に満足させられる方法を提供することにあり、それは、表示ユニットがビデオ画像を放送すると同時に、該ビデオキャプチャユニットにより再生マークをキャプチャして、再生マークに対応する表示ユニットが放送する完全フレームと該完全フレームに関係するビデオデータを第２保存ユニット内に保存し、更に画像編集ユニットにより、該第２保存ユニットないのビデオデータに対して、増加、削除、移動などの編集動作を行うものとする。
【００１５】
本発明の別の目的は、ユーザー側の早送り待ち時間を短縮することにあり、すなわち、本発明は、ジャンプマークの設定により、展開の遅いフレームをジャンプし、ユーザー側が早送り機能を行使する回数を減らし、これにより更に早送り待ち時間を減らす。
【００１６】
本発明の別の目的は、ファイルの容量を効果的に減らすことにあり、すなわち、本発明は、ジャンプマークと再生マークの設定及びＰフレーム差異条件値の調整により、キャプチャするマークを、再生マークに対応するビデオデータ及びＰフレーム変化量が該Ｐフレーム差異条件値より小さくないＰフレームとし、容量が小さい単一ファイルを発生する。
【００１７】
本発明の別の目的は、早送り／再生により発生する遅延時間を減らすことにあり、すなわち、本発明は、マークインデックステーブルを提供して、変換ユニットが発生する容量が小さいビデオデータの完全フレームの保存位置を記録することにより、早送り／再生機能を実行する時、急速にビデオデータ完全フレームの位置を探し出し、完全フレーム位置を探し出すためにかかる遅延時間を効果的に減らせるようにする。
【００１８】
本発明の別の目的は、電子商取引の実務運用を提供することにあり、すなわち、本発明は、ネットワーク周波数幅の制限を鑑み、ジャンプマークと再生マークの設定及びＰフレーム差異条件値の調整により容量が小さい単一ファイルをインターネットの使用に提供し、ブラウズ側のアクセス速度を効果的に加速できるようにする。
【００１９】
本発明の別の目的は、ブラウズ側の要求を急速に満足させることにあり、すなわち、本発明は、ブラウズ側がホームページにおいてオンライン視聴行為を行う時、容量が小さい単一ファイルの提供により、ブラウズ側のファイルダウンロードの待ち時間を効果的に減らせるようにする。
【００２０】
本発明はコンピュータシステムに用いられるビデオ編集システム及びその方法を提供する。本発明はマーキングユニットにより、再生マークとジャンプマークを提供し、表示ユニットが放送するビデオデータの完全画面に対して、マーキングを行う。そのうち、該再生マークは、観たいビデオデータを設定するもので、該ジャンプマークは観るのを省略したいビデオデータを設定するものである。さらに、ビデオキャプチャユニットにより検出ユニットが提供するＰフレーム差異条件値を読み取り表示ユニットが放送する時、キャプチャするマークは、再生マークの完全フレーム、完全フレームに関係するＰフレーム変化量がＰフレーム差異条件値より小さくないＰフレーム及び該完全フレームに関係するＢフレームであり、最後に変換ユニットにより、ビデオキャプチャユニットがキャプチャしたビデオデータによりエンコード圧縮変換し、容量が小さい単一ビデオファイル或いは動画ファイルを発生する。本発明はユーザー側の要求によりＰフレーム差異条件値を動態設定し、並びにジャンプマークの設定により観たくない部分を省略でき、ユーザー側の早送り機能の行使回数を減らし、さらに早送りにより発生する遅延時間を減らす。さらに、画像編集ユニットの提供により、フレームをエンコードする前に、審査動作を行い、キャプチャした画面をさらにスムーズとし、且つ予期された効果を発生する。本発明はさらに電子商取引の発展に適用され、ネットワーク周波数幅の制限下で、本発明により企業に容量が小さい製品紹介ビデオファイルを提供でき、アクセス速度を効果的にアップし、ブラウズ側のファイルダウンロードにかかる時間を短縮できる。
【課題を解決するための手段】
【００２１】
請求項１の発明は、コンピュータシステムに用いられるビデオ編集システムにおいて、  少なくとも一つのデコードビデオ信号を受け取り、該デコードビデオ信号の複数のフレームを再生する、表示ユニットと、
少なくとも一つの再生マークと少なくとも一つのジャンプマークを提供し、該再生マークで再生するフレームを設定し、該ジャンプマークで再生しないフレームを設定する、マーキングユニットと、
再生マークが設定されたフレームをキャプチャし、ジャンプマークが設定されたフレームのキャプチャを放棄する、ビデオキャプチャユニットと、
該ビデオキャプチャユニットがキャプチャした再生マークが設定された少なくとも一つのフレームを受け取って単一ファイルに変換する、変換ユニットと、
を具えたことを特徴とする、コンピュータシステムに用いられるビデオ編集システムとしている。
請求項２の発明は、請求項１記載のコンピュータシステムに用いられるビデオ編集システムにおいて、デコードビデオ信号がＭＰＥＧ圧縮フォーマットであることを特徴とする、コンピュータシステムに用いられるビデオ編集システムとしている。
請求項３の発明は、請求項１記載のコンピュータシステムに用いられるビデオ編集システムにおいて、マーキングユニットがマーキングインデックステーブルを具え、該マーキングインデックステーブルは再生マークが設定されたフレームの保存位置を記録することを特徴とする、コンピュータシステムに用いられるビデオ編集システムとしている。
請求項４の発明は、請求項１記載のコンピュータシステムに用いられるビデオ編集システムにおいて、ビデオ編集システムはデコードユニットを更に具え、該デコードユニットは少なくとも一つのエンコードビデオ信号を受け取り、該エンコードビデオ信号をデコードビデオ信号にデコードすることを特徴とする、コンピュータシステムに用いられるビデオ編集システムとしている。
請求項５の発明は、請求項４記載のコンピュータシステムに用いられるビデオ編集システムにおいて、エンコードビデオ信号がＭＰＥＧ圧縮フォーマットとされることを特徴とする、コンピュータシステムに用いられるビデオ編集システムとしている。
請求項６の発明は、請求項１記載のコンピュータシステムに用いられるビデオ編集システムにおいて、ビデオ編集システムが入力ユニットを更に具え、該入力ユニットは少なくとも一つの再生マークと少なくとも一つのジャンプマークの設定に供されることを特徴とする、コンピュータシステムに用いられるビデオ編集システムとしている。
請求項７の発明は、請求項１記載のコンピュータシステムに用いられるビデオ編集システムにおいて、ビデオ編集システムが検出ユニットを更に具え、該検出ユニットは再生マークが設定されたフレームに隣接するフレームの変化量を検出することを特徴とする、コンピュータシステムに用いられるビデオ編集システムとしている。
請求項８の発明は、請求項７記載のコンピュータシステムに用いられるビデオ編集システムにおいて、ビデオキャプチャユニットが前記変化量に基づき再生マークが設定されたフレームに隣接するフレームの一つのフレームキャプチャを放棄することを特徴とする、コンピュータシステムに用いられるビデオ編集システムとしている。
請求項９の発明は、請求項１記載のコンピュータシステムに用いられるビデオ編集システムにおいて、ビデオ編集ユニットが保存ユニットを更に具え、該保存ユニットがビデオキャプチャユニットのキャプチャしたフレームを保存することを特徴とする、コンピュータシステムに用いられるビデオ編集システムとしている。
請求項１０の発明は、請求項１記載のコンピュータシステムに用いられるビデオ編集システムにおいて、ファイルが動画ファイルとされたことを特徴とする、コンピュータシステムに用いられるビデオ編集システムとしている。
請求項１１の発明は、請求項１０記載のコンピュータシステムに用いられるビデオ編集システムにおいて、動画ファイルがＪＰＥＧ圧縮フォーマットとされることを特徴とする、コンピュータシステムに用いられるビデオ編集システムとしている。
請求項１２の発明は、請求項１０記載のコンピュータシステムに用いられるビデオ編集システムにおいて、動画ファイルがＧＩＦ圧縮フォーマットとされることを特徴とする、コンピュータシステムに用いられるビデオ編集システムとしている。
請求項１３の発明は、コンピュータシステムに用いられるビデオ編集方法において、この方法は、
デコードビデオ信号を受け取り、該デコードビデオ信号の複数のフレームを再生するステップと、
少なくとも一つの再生マークと少なくとも一つのジャンプマークを提供し、該再生マークで再生するフレームを設定し、該ジャンプマークで再生しないフレームを設定するステップと、
再生マークが設定されたフレームをキャプチャし、ジャンプマークが設定されたフレームのキャプチャを放棄するステップと、
再生マークが設定された少なくとも一つのフレームを受け取り、受信したフレームを単一ファイルに変換するステップと、
を具えたことを特徴とする、コンピュータシステムに用いられるビデオ編集方法としている。
請求項１４の発明は、請求項１３記載のコンピュータシステムに用いられるビデオ編集方法において、デコードビデオ信号がＭＰＥＧ圧縮フォーマットとされることを特徴とする、コンピュータシステムに用いられるビデオ編集方法としている。
請求項１５の発明は、請求項１３記載のコンピュータシステムに用いられるビデオ編集方法において、マーキングインデックステーブルを提供し、該マーキングインデックステーブルに再生マークを設定したフレームの保存位置を記録するステップを具えたことを特徴とする、コンピュータシステムに用いられるビデオ編集方法としている。
請求項１６の発明は、請求項１３記載のコンピュータシステムに用いられるビデオ編集方法において、デコードビデオ信号を受け取るステップの前に、少なくとも一つのエンコードビデオ信号を受け取り、該エンコードビデオ信号をデコードビデオ信号に変換するステップを具えたことを特徴とする、コンピュータシステムに用いられるビデオ編集方法としている。
請求項１７の発明は、請求項１６記載のコンピュータシステムに用いられるビデオ編集方法において、エンコードビデオ信号がＭＰＥＧ圧縮フォーマットとされることを特徴とする、コンピュータシステムに用いられるビデオ編集方法としている。
請求項１８の発明は、請求項１３記載のコンピュータシステムに用いられるビデオ編集方法において、入力ユニットを使用して再生マークとジャンプマークを設定することを特徴とする、コンピュータシステムに用いられるビデオ編集方法としている。
請求項１９の発明は、請求項１３記載のコンピュータシステムに用いられるビデオ編集方法において、再生マークが設定されたフレームをキャプチャする前に、再生マークが設定されたフレームに隣接するフレームの変化量を検出するステップを具えたことを特徴とする、コンピュータシステムに用いられるビデオ編集方法としている。
請求項２０の発明は、請求項１９記載のコンピュータシステムに用いられるビデオ編集方法において、再生マークが設定されたフレームをキャプチャするステップにあって、変化量に基づき、再生マークが設定されたフレームに隣接するフレームの一つのフレームのキャプチャを放棄することを特徴とする、コンピュータシステムに用いられるビデオ編集方法としている。
請求項２１の発明は、請求項１３記載のコンピュータシステムに用いられるビデオ編集方法において、再生マークが設定されたフレームをキャプチャするステップにあって、キャプチャしたフレームを保存するステップを更に具えたことを特徴とする、コンピュータシステムに用いられるビデオ編集方法としている。
請求項２２の発明は、請求項１３記載のコンピュータシステムに用いられるビデオ編集方法において、単一ファイルが動画ファイルとされることを特徴とする、コンピュータシステムに用いられるビデオ編集方法としている。
請求項２３の発明は、請求項２２記載のコンピュータシステムに用いられるビデオ編集方法において、動画ファイルがＪＰＥＧ圧縮フォーマットとされることを特徴とする、コンピュータシステムに用いられるビデオ編集方法としている。
請求項２４の発明は、請求項２２記載のコンピュータシステムに用いられるビデオ編集方法において、動画ファイルがＧＩＦ圧縮フォーマットとされることを特徴とする、コンピュータシステムに用いられるビデオ編集方法としている。
【発明の効果】
【００２２】
本発明はコンピュータシステムに用いられるビデオ編集システム及びその方法を提供し、それはマーキングユニットを具え、該マーキングユニットが再生マークとジャンプマークを提供し、ユーザー側が入力ユニットを利用して外部命令を下す時、ＣＰＵが該外部命令を受け取って該マーキングユニットを駆動し、マーキングを行わせた後、更にビデオキャプチャユニットを駆動し、再生マークがマーキングされたビデオデータをキャプチャさせる。第１保存ユニットは、少なくとも一つのビデオデータを提供し、デコードユニットが第１保存ユニットのビデオデータを読み取りデコードし、表示ユニットがデコードユニットがデコードしたビデオデータを読み取り、再生する。該マーキングユニットは表示ユニットが再生するビデオデータの完全フレームに対してマーキングし、ビデオキャプチャユニットによりＰフレーム差異条件値を読み取り、再生マークがマーキングされた完全フレームと、該完全フレームに関係しＰフレーム変化量がＰフレーム差異条件値より小さくないＰフレーム、及び該完全フレームに関係するＢフレームをキャプチャし、並びにそれを第２保存ユニットに保存する。変換ユニットは第２保存ユニット内に保存されたビデオデータによりエンコード圧縮変換を行い、容量が小さい単一ビデオファイル或いは動画ファイルを発生する。本発明はユーザー側が要求により該Ｐフレーム差異条件値の設定を動態調整でき、更に、画像編集ユニットの提供により予期されたファイルを発生する。本発明はさらに電子商取引の発展に適用され、本発明は企業に、ネットワーク周波数幅の制限下で、容量が小さい単一ファイルを提供することができ、アクセス速度を効果的にアップし、ブラウズ側のファイルダウンロードにかかる時間を短縮することができる。ゆえに本発明は新規性、進歩性及び産業上の利用価値を有する。なお、以上の実施例は本発明の実施の範囲を限定するものではなく、本発明の特許請求の範囲に記載された形状、構造、特徴及び精神に基づきなしうる等しい効果の変化と修飾は、いずれも本発明の特許請求の範囲に属するものとする。
【発明を実施するための最良の形態】
【００２３】
本発明はＭＰＥＧ圧縮フォーマットのビデオデータを最良の実施例として説明する。ＭＰＥＧ画像グループは三種類の異なる圧縮フレームで構成され、それぞれＩフレーム、Ｐフレーム、及びＢフレームとされる。さらに本発明のマークインデックステーブルと検出ユニットを表示するため、該マーキングインデックステーブルは再生マークの完全画面（Ｉフレーム）の保存位置を記録し、それは早送り／早戻しで発生する遅延時間を短縮するのに用いられる。検出ユニットの検出するマークは、再生マークの完全フレームに関係するＰフレーム変化量であり、Ｐフレーム差異条件値との比較に用いられ、ビデオキャプチャユニットの参考に供され、差異程度が大きくないＰフレームのキャプチャが減らされ、しかしビデオ画像フレームの違いにより、本発明のマーキングインデックステーブルが記録のは再生マークが設定されたフレームの保存位置とされ、検出ユニットは再生マークが設定されたフレームに隣接するフレームの変動量を検出する。
【００２４】
さらに、本発明により発生する動態ファイルを容量が小さいファイルとするため、本実施例は第１保存ユニットに本発明で処理しない容量が大きいビデオデータを保存し、第２保存ユニットに本発明により発生した容量が小さいビデオデータを保存する。しかし実務運転上、第１保存ユニットと第２保存ユニットは一つの保存ユニットに取り替えることができ、本発明で処理しない容量の大きいビデオデータと本発明により発生した容量が小さいビデオデータを共にこの保存ユニットに保存することができる。
【００２５】
図１は本発明の第１実施例のブロック図であり、図示されるように、その構造は、入力ユニット１０を具え、それは、ユーザー側がマーキング設定命令を下すのに用いられ、ＣＰＵ１５を通して該命令を受け取った後、マーキングユニット２０が駆動されてマーキングを行う。まず、ユーザー側が少なくとも一つのビデオデータを第１保存ユニット２５に提供し、デコードユニット３０は該第１保存ユニット２５のビデオデータを受取り、デコードを行い、デコード完成後に表示ユニット３５に提供し、放送動作を行わせる。このとき、ユーザー側はマーキングユニット２０により放送されるビデオデータの少なくとも一つの完全フレームに対して、少なくとも一つの再生マーク或いは少なくとも一つのジャンプマーク設定を行う。そのうち、完全フレームはＭＰＥＧ圧縮フォーマットのＩフレームとされ、さらに、ＣＰＵ１５によりビデオキャプチャユニット４０が駆動され、該マーキングユニット２０がマーキングしたビデオデータの完全フレームの再生マークに基づき、該完全フレームに関係するＰフレームとＢフレームをキャプチャし、並びにキャプチャしたフレームを第２保存ユニット４５に保存し、その後、変換ユニット５５が、該第２保存ユニット４５内のビデオデータをエンコード圧縮変換し、容量が小さい単一ビデオファイルを発生する。
【００２６】
そのうち、該再生マークはユーザー側が表示ユニット３５が放送するビデオデータの完全フレームに対して、観たいセグメントとして設定するのに用いられる。ジャンプマークは、ユーザー側が表示ユニット３５が放送するビデオデータの完全フレームに対して、観るのを省略したいセグメントとして設定するのに用いられる。変換ユニット５５はＭｏｔｉｏｎ  ＭＰＥＧの圧縮フォーマット、Ｍｏｔｉｏｎ  Ｇｉｆの圧縮フォーマット或いはその他の再生可能動態フレームの圧縮フォーマットを提供する。
【００２７】
上述の第１保存ユニット２５内のビデオデータはＭＰＥＧエンコードフォーマットの圧縮データとされ、複数のＶＯＢ、ＩＦＯ、及びＢＵＰファイルデータを包含し、そのうち、各ＶＯＢファイルはビデオ、音声、及び字幕ストリーム等の多種類のストリームの合併を含み、その内容はさらに多くの完全フレームのＩＦＯファイル、参照画像のＰフレーム及び修正画像のＢフレームを包含し、これにより、第１保存ユニット２５は容量が大きいビデオファイルを保存する。
【００２８】
本構造はさらに画像編集ユニット５０とマーキングインデックステーブルを具え、そのうち、画像編集ユニット５０は第２保存ユニット４５内のビデオデータを画像編集ユニット５０内にダウンロードして増加、改修、削除などの編集動作を行うことができる。該マーキングインデックステーブルは該マーキングユニット２０が再生マークをマーキングしたビデオデータの完全フレームの保存位置を記録し、早送り或いは早戻し機能により発生する完全フレームの遅延時間を効果的に減少する。
【００２９】
図２は本発明の第１実施例の表示ユニットのフレーム表示図である。該表示ユニット３５の表示するフレームは、第１表示フレーム３５１、第２表示フレーム３５２を具え、該第１表示フレーム３５１は、ユーザー側が現在クリックするビデオデータの完全フレームを表示し、第２表示フレーム３５２はユーザー側が現在クリックするビデオデータの少なくとも一つ前の完全フレーム及び少なくとも一つ後の完全フレームを表示し、図示されるように、第１表示フレーム３５１はユーザー側がクリックしたＩ3 フレームを表示し、第２表示フレーム３５２はＩ3 フレームの前の二つの完全フレームＩ2 とＩ3 及び後の二つの完全フレームＩ4 とＩ5 を表示する。ユーザー側はＩ3 フレームとそれに関係するＰフレームとＢフレームの再生を観ることで、マーキングを行うかを選択できる。マーキングを行う時は、第１表示フレーム３５１の再生を一時停止し、並びにＩ3 フレームに対して再生マークの設定或いはキャプチャマークの設定をし、これによりビデオキャプチャユニット４０がキャプチャするのは再生マークが設定されたフレームとなる。以上から分かるように、ユーザー側は該表示ユニット３５の提供する第１表示フレーム３５１と第２表示フレーム３５２により事前に第１保存ユニット２５の提供するビデオファイルの内容をブラウジングし、該マーキングユニット２０とビデオキャプチャユニット４０を通して観たいビデオデータを発生し、早送り動作の行使回数を減らして早送り動作で発生する遅延時間を短縮することができる。
【００３０】
図１と図３を併せて参照されたい。図３は本発明の好ましい実施例の検出ユニットを具えたブロック図である。図示されるように、本発明はさらに検出ユニット６０を具え、それはＰフレーム差異条件値を提供し、再生マークが設定されたビデオデータの完全フレームに関係するＰフレーム変化量を検出し、該ビデオキャプチャユニット４０が該Ｐフレーム差異条件値とＰフレーム変化量を対比し、Ｐフレーム変化量がＰフレーム差異条件値より小さい時は、フレーム間の差異程度が大きくないことを示すため、このＰフレームのキャプチャを放棄する。そのうち、該Ｐフレーム差異条件値はユーザー側が必要によりＣＰＵ１５或いは検出ユニット６０を通して動態調整できる。このほか、Ｂフレーム部分にあって、本発明は再生マークが設定された完全フレームに関係する全てのＢフレームをキャプチャし、画像編集ユニット５０によりＢフレームを適切な位置に置き、これによりフレームキャプチャ動作完成後に、キャプチャしたフレームをスムーズに再生でき、さらに、再生マークとジャンプマーク及びＰフレーム差異条件値の設定により、変換ユニット５５の発生するファイル容量を効果的に減少できる。
【００３１】
本発明の提供する構造と方法の理解をさらに深めるために、図４を参照されたい。それは本発明の好ましい実施例のフローチャートであり、図示されるように、本発明はコンピュータシステムに用いられるビデオ編集方法であり、その主要なステップは以下を包含する。
ステップＳ１：  ユーザー側が少なくとも一つのビデオファイルを第１保存ユニットに提供する。
ステップＳ２：  入力ユニットを使用してマーキング命令をＣＰＵに下す。
ステップＳ３：  ＣＰＵがマーキング命令を受け取った後、ＣＰＵがマーキングユニットを駆動してマーキングを行わせ、ビデオキャプチャユニットを駆動してキャプチャ動作を行わせる。
ステップＳ４：  ビデオキャプチャユニットを使用して検出ユニットが設定したＰフレーム差異条件値を読み取る。
ステップＳ５：  デコーダユニットを使用し第１保存ユニットのビデオデータを読み取り、デコード動作を行う。
ステップＳ６：  表示ユニットを使用し再生する。
ステップＳ７：  マーキングユニットを使用し表示ユニットが再生するビデオデータの完全フレームに対して、少なくとも一つの再生マーク或いは少なくとも一つのジャンプマークを設定する。
ステップＳ８：  再生マークが設定されたビデオデータの完全フレームと関係するＰフレーム変化量を検出し、再生マークが設定された完全フレームと、該完全フレームに関係しＰフレーム変化量が該Ｐフレーム差異条件値より小さくないＰフレームと該完全フレームに関係するＢフレームをキャプチャする。
ステップＳ９：  キャプチャしたフレームを第２保存ユニットに保存する。
ステップＳ１０：  画像編集ユニットを使用してビデオキャプチャユニットがキャプチャしたフレームを編集し、編集完成後にさらに第２保存ユニットに戻す。
ステップＳ１１：  変換ユニットを使用し、第２保存ユニットのデコードビデオデータに対してエンコード変換する。
ステップＳ１２：  容量が小さい単一動画ファイル或いは単一ビデオファイルを出力する。
【００３２】
本発明の実務上の使用についてさらに説明するため、ネットワークビジネスの商業モデルにより説明を行う。図５を参照されたい。図５は本発明の好ましい実施例の商業モデル構造図であり、図示されるように、それは、サーバー装置７５、常時ネットワーク接続のブラウズ側６５を具え、ブラウズ側６５がショッピングサイト７０に進入し、鑑賞したい商品紹介ビデオファイルをクリックする時、ショッピングサイト７０は即刻データベース８０中より本発明の再生マークとジャンプマークを利用しＰフレーム差異条件値が発生するファイル容量が小さい製品紹介ファイルをキャプチャし、オンライン放送方式で、ブラウズ側６５による視聴に供する。製品紹介ビデオファイルは容量が小さいファイルであるため、ダウンロード過程中にブラウズ側６５は長い時間を待つ必要がなく、ブラウズ側６５による視聴が終了し且つ購入意欲が発生した時は、消費プラットフォーム８５を利用して購入動作を行える。
【図面の簡単な説明】
【００３３】
【図１】本発明の好ましい実施例のブロック図である。
【図２】本発明の好ましい実施例の表示ユニットのフレーム表示図である。
【図３】本発明の好ましい実施例の検出ユニットを具えたブロック図である。
【図４】本発明の好ましい実施例のフローチャートである。
【図５】本発明の好ましい実施例の商業モデル構造図である。
【符号の説明】
【００３４】
１０  入力ユニット
１５  ＣＰＵ
２０  マーキングユニット
２５  第１保存ユニット
３０  デコードユニット
３５  表示ユニット
３５１  第１表示フレーム
３５２  第２表示フレーム
４０  ビデオキャプチャユニット
４５  第２保存ユニット
５０  画像編集ユニット
５５  変換ユニット
６０  検出ユニット
６５  ブラウズ側
７０  ショッピングサイト
７５  サーバー装置
８０  データベース
８５  消費プラットフォーム
【図１】
2005323333.tif 000003
【図２】
2005323333.tif 000004
【図３】
2005323333.tif 000005
【図４】
2005323333.tif 000006
【図５】
2005323333.tif 000007